(57)【要約】【課題】保持枠の構造を簡略化しかつ軽量化し、庇板の基端部を保持枠に固定するための固定具も軽量化する。【解決手段】庇は、基端部にボルト挿通孔１１が設けられた庇板１と、背板部５と支持板部４とを一体に備え支持板部４の庇板１のボルト挿通孔１１に対応する位置にボルト挿通孔４１が設けられた保持枠３と、保持枠３に庇板１の基端部を固定する固定具６とから成る。固定具６は、庇板１のボルト挿通孔１１と支持板部４のボルト挿通孔４１とに挿通されるボルト６０と、ボルト６０の頭部との間で庇板１の基端部と保持枠３の支持板部４とを一体に挟持するナット８と、庇板１の基端部の上面とナット８の下面との間に挟まれるボルト毎の締付板７とを含む。締付板７には板面に対して鋭角をなす押さえ板７０が一体形成され、押さえ板７０の上端部は背板部５に固定される。【選択図】図２
2011001705.tif 000002
【特許請求の範囲】
【請求項１】
基端部にボルト挿通孔が幅方向へ所定の間隔で設けられた庇板と、建物の外壁面に固着される背板部と庇板の基端部の下面を全幅にわたって支持する支持板部とを一体に備え支持板部の庇板のボルト挿通孔に対応する位置にボルト挿通孔が設けられた保持枠と、保持枠に庇板の基端部を固定する固定具とから成り、前記固定具は、上下に連通した庇板のボルト挿通孔と支持板部のボルト挿通孔とに挿通されるボルトと、ボルトの軸部にネジ込んだときボルトの頭部との間で庇板の基端部と保持枠の支持板部とを一体に挟持するナットと、庇板の基端部の上面とナットの下面またはボルトの頭部の下面との間に挟まれるボルト毎の締付板とを含んでおり、締付板には板面に対して鋭角をなす押さえ板が一体形成され、押さえ板の上端部は保持枠の背板部に固定されて成る庇。
【請求項２】
前記保持枠の支持板部には、ボルトの頭部が抜止め状態で幅方向へ摺動自由に係合する係合溝と、係合溝に頭部が係合したボルトの軸部を支持板部上へ突出させるボルト挿通孔とが、支持板部の全幅にわたって形成されている請求項１に記載された庇。
【請求項３】
前記保持枠の背板部には、庇板の基端部を位置決めするための溝が形成されている請求項１に記載された庇。
【発明の詳細な説明】
【技術分野】
【０００１】
この発明は、建物の外壁面より前方へ張り出すように設けられる庇に関する。
【背景技術】
【０００２】
従来、その種の庇として、庇板の基端部を建物の外壁面に固着された固定枠により保持する構造のものがある（例えば特許文献１参照）。この庇には、図８に示すように、上下一対の突壁９１，９２を有する保持枠９が用いられており、上下の突壁９１，９２間の保持溝９０に庇板１の基端部が差し込まれるようになっている。上側の突壁９１には所定の間隔でネジ孔９３が形成され、各ネジ孔９３にネジ込まれるネジ９４の先端で庇板１の基端部上に重ねられた加圧板９５を押圧することにより庇板１の基端部を加圧板９５と下側の突壁９２との間で挟持する。なお、図中、９６は上側の突壁９１に形成された抜止めであり、庇板１の基端部の両端部の上面に形成された凸部（図示せず）が抜止め９６に引っ掛かることで庇板１の抜けを防止するものである。
【先行技術文献】
【特許文献】
【０００３】
【特許文献１】特開２００７−４００８７号公報
【発明の概要】
【発明が解決しようとする課題】
【０００４】
上記の庇では、保持枠９に上下一対の突壁９１，９２が庇板１の全幅に対応させて形成され、そのうえ庇板１のほぼ全幅にわたる長さの加圧板９５を用いているため、保持枠９と加圧板９５の総重量が嵩み、庇施工時の作業性を低下させる要因となる。また、材料費が嵩むため、製品のコスト高を招くという問題もある。
【０００５】
この発明は、上記した問題に着目してなされたもので、保持枠の構造を簡略化しかつ軽量化し、加えて、庇板の基端部を保持枠に固定するための固定具も軽量化することにより、庇施工時の作業性を良好となし、製品コストの低減を実現する庇を提供することを目的とする。
【課題を解決するための手段】
【０００６】
この発明による庇は、基端部にボルト挿通孔が幅方向へ所定の間隔で設けられた庇板と、建物の外壁面に固着される背板部と庇板の基端部の下面を全幅にわたって支持する支持板部とを一体に備え支持板部の庇板のボルト挿通孔に対応する位置にボルト挿通孔が設けられた保持枠と、保持枠に庇板の基端部を固定する固定具とから成る。前記固定具は、上下に連通した庇板のボルト挿通孔と支持板部のボルト挿通孔とに挿通されるボルトと、ボルトの軸部にネジ込んだときボルトの頭部との間で庇板の基端部と保持枠の支持板部とを一体に挟持するナットと、庇板の基端部の上面とナットの下面またはボルトの頭部の下面との間に挟まれるボルト毎の締付板とを含んでいる。締付板には板面に対して鋭角をなす押さえ板が一体形成され、押さえ板の上端部は保持枠の背板部に固定されている。
【０００７】
庇の施工に際し、まず、建物の外壁面に保持枠の背板部を当てて固着し、つぎに、庇板の基端部を保持枠の支持板部上に支持した後、上下に連通した庇板のボルト挿通孔と支持板部のボルト挿通孔とにボルトの軸部を通し、外側へ突き出た各ボルトの軸部にナットをネジ込み、ボルトの頭部との間で庇板の基端部と保持枠の支持板部とを一体に挟持する。この場合に、庇板の基端部の上面とナットの下面またはボルトの頭部の下面との間に締付板を介装させる。締付板に一体形成された押さえ板は保持枠の背板部に向けて斜め上方へ延びるもので、この押さえ板の上端部を背板部に固定する。
締付板が庇板の基端部の上面とナットの下面またはボルトの頭部の下面との間に挟まれているので、締付板は座金として機能し、ナットの締付作業が容易となり、ナットを十分に締め付けることが可能である。その結果、庇板の基端部はがたつくことなく保持され、ナットの緩みが防止される。さらに、締付板に一体形成した押さえ板の上端部を保持枠の背板部に固定するので、庇板に風圧などの外圧が上向きに作用しても、押さえ板による突っ張り力が庇板に作用して庇板を押さえ付ける。
【０００８】
この発明の好ましい実施態様においては、前記保持枠の支持板部には、ボルトの頭部が抜止め状態で幅方向へ摺動自由に係合する係合溝と、係合溝に頭部が係合したボルトの軸部を支持板部上へ突出させるボルト挿通孔とが、支持板部の全幅にわたって形成されている。
この実施態様では、複数個のボルトを庇板の基端部のボルト挿通孔の位置に予め移動させて定位させておく。庇板の基板部を保持枠の支持板部上に支持させるとき、各ボルトの軸部を庇板のボルト挿通孔に挿通させる。各ボルトの軸部は庇板の基端部上へ突き出るので、各軸部に締付板を中間に介在させた状態でナットを順次ねじ込んで締め付ける。
【０００９】
この発明の好ましい実施態様においては、前記保持枠の背板部には、庇板の基端部を位置決めするための溝が形成されている。
この実施態様によると、庇板の基端部を保持枠の支持板部上に支持させるとき、庇板の基端部を背板部に形成した溝に係合させることで庇板を容易に位置決めできる。
【発明の効果】
【００１０】
この発明によると、従来のものと比較して、保持枠の構造が簡略化されかつ軽量化され、加えて、庇板の基端部を保持枠に固定するための固定具も軽量化されるので、庇施工時の作業性が良好となり、また、材料の節約によるコストの低減を実現できる。
また、締付板を庇板の基端部の上面とナットの下面またはボルトの頭部の下面との間に介装させて座金として機能させるので、ナットの締付作業が容易となり、十分にナットを締め付けることが可能である。その結果、庇板の基端部はがたつくことなく保持され、ナットの緩みが防止される。さらに、締付板に一体形成した押さえ板の上端部を保持枠の背板部に固定するので、庇板に風圧などの外圧が上向きに作用しても、押さえ板による突っ張り力により庇板が押さえ付けられ、庇の強度を維持できる。
【図面の簡単な説明】
【００１１】
【図１】この発明の一実施例である庇の外観を示す斜視図である。
【図２】図１のＡ−Ａ線に沿う断面図である。
【図３】保持枠に庇板を取り付けた状態を示す正面図である。
【図４】固定具の構成を示す斜視図である。
【図５】庇の施工状態を示す斜視図である。
【図６】他の実施例の断面図である。
【図７】位置決め用の溝の他の実施例を示す断面図である。
【図８】従来例の主要部の構成を示す断面図である。
【発明を実施するための形態】
【００１２】
図１は、この発明の一実施例である庇の外観を、図２の庇の構成を、それぞれ示している。図示の庇は、建物の外壁面１０から張り出すように設けられるもので、庇板１と、建物の外壁面１０に固着され庇板１の基端部を全幅にわたって保持する保持具２とで構成される。
【００１３】
庇板１は、アルミニウムなどの金属板、合成樹脂板、ガラス板などで形成され、基端部にボルト挿通孔１１が幅方向へ所定の間隔で設けられている。なお、図示していないが、庇板１の先端縁に樋部材を取り付けてもよく、また、張出し長さに応じて、庇板１の少なくとも２箇所をアームにより吊持してもよい。
【００１４】
保持具２は、図３に示すように、庇板１の全幅に対応させた保持枠３と、保持枠３に庇板１の基端部を固定するための固定具６とを含んでいる。固定具６は複数個のボルト６０と同数個のナット８と同数個の締付板７とを含んでいる。なお、保持枠３の前面はカバー３０（図３では一点鎖線で示す）により全体が覆われ、保持枠３の両側端面は端板２０，２０により塞がれている。
【００１５】
保持枠３は、建物の外壁面１０に固定される背板部５と、庇板１の基端部の下面を全幅にわたって支持する支持板部４とを一体に備えている。支持板部４は背板部５に対して直角をなし、背板部５の背面を建物の外壁面１０に当てて固定したとき、水平状態で前方へ突き出る。背板部５にはボルト挿通孔５０が幅方向へ所定の間隔で開設され、各ボルト挿通孔５０に通したアンカーボルト２１により保持枠３が建物の外壁面１０に固着される。
【００１６】
保持枠３の支持板部４には、固定具６を構成するボルト６０の頭部６１が抜止め状態で幅方向へ摺動自由に係合する係合溝４０と、係合溝４０と連通し支持板部４の上面に開口するボルト挿通孔４１とが、支持板部４の全幅にわたって形成されている。係合溝４０に頭部６１が係合したボルト６０の軸部６２はボルト挿通孔４１より支持板部４上へ突出する。係合溝４０およびボルト挿通孔４１はその両端部が支持板部４の両側面に開口している。
【００１７】
保持枠３の支持板部４上に庇板１を支持するとき、庇板１のボルト挿通孔１１と支持板部４のボルト挿通孔４１とが上下に連通するように位置合わせされる。ボルト６０の軸部６２は上下に連通したボルト挿通孔１１，４１を貫通して庇板１上へ突出する。このボルト６０の軸部６２の突出部分にナット８をネジ込み、ナット８とボルト６０の頭部６１との間で庇板１の基端部と保持枠３の支持板部４とを一体に挟持する。
【００１８】
庇板１の基端部の上面とナット８の下面との間には、座金の働きをする締付板７がボルト６０毎に挟まれている。締付板７の板面中央には、図４に示すように、ボルト６０の軸部６２を通す貫通孔７１が開設されている。締付板７の下面の庇板１と接触する面はフラットな面を構成している。締付板７の板面に対して鋭角θ（図示例ではθ＝約６０度）をなす押さえ板７０が締付板７と一体に形成されている。締付板７と押さえ板７０とは一枚の金属板を屈曲して形成しているが、締付板７と押さえ板７０とを別個に製作して接合してもよい。
【００１９】
なお、図６に示す他の実施例のように、保持枠３の支持板部４に上下に貫通するボルト挿通孔４１を形成し、上下に連通させた支持板部４のボルト挿通孔４１と庇板１のボルト挿通孔１１とに対して上方よりボルト６０を挿入し、下方へ突き出たボルト６０の軸部６２にナット８をねじ込み、ナット８とボルト６０の頭部６１との間で庇板１の基端部と保持枠３の支持板部４とを一体に挟持するようにしてもよい。
【００２０】
保持枠３の背板部５のボルト挿通孔５０の下方位置に突起５１が幅全長にわたって突設されており、この突起５１と支持板部４との間に庇板１の基端部を位置決めするための溝５２が形成されている。この溝５２は、図７に示すように、保持枠３の背板部５の板面を凹ませて形成してもよい。
【００２１】
背板部５のボルト挿通孔５０の上方位置には、押さえ板７０の上端面が突き当たる当接面５３と押さえ板７０の上端部の下面を支持する傾斜支持面５４とが全幅にわたって形成されている。押さえ板７０の上端部にはネジ３２を通す貫通孔７２が、傾斜支持面５４にはネジ３２がネジ込まれるネジ孔５５が、それぞれ形成されている。このネジ３２によって押さえ板７０の上端部が背板部５に固定される。押さえ板７０の上端部は端面が当接面５３に当接した状態で傾斜支持面５４にネジ止めされるので、庇板１に上向きの力が作用しても、押さえ板７０の突っ張り力によって庇板１は押さえ付けられる。
【００２２】
保持枠３の背板部５の上端部には前記カバー３０の上端部に形成された係合端部３１が係合する係合凹部５６が形成されている。係合凹部５６に係合した係合端部３１は背板部５にネジ３３により固定される。
【００２３】
なお、図２において、２２はカバー３０の係合端部３１と建物の外壁面１０との間に嵌め込まれるコーキング材、２３はカバー３０の下端縁と庇板１の上面との間に嵌め込まれるコーキング材である。これらのコーキング材２２，２３によって雨水の浸入が阻止される。
【００２４】
図５は、上記した構成の庇の施工状態を示している。まず、建物の外壁面１０に保持枠３の背板部５を固着した後、複数個のボルト６０の頭部６１を保持枠３の支持板部４に形成した係合溝４０に抜止め状態で係合し、庇板１の基端部のボルト挿通孔１１の位置に予め移動させて定位させておく。つぎに、庇板１の基端部を保持枠３の支持板部４上に支持させ、各ボルト６０の軸部６２を庇板１のボルト挿通孔１１にそれぞれ挿通させる。各ボルト６０の軸部６２は庇板１の基端部上へ突き出るので、各軸部６２に締付板７を中間に介在させた状態でナット８を順次ねじ込んで締め付け、ナット８とボルト６０の頭部６１との間で庇板１の基端部と保持枠３の支持板部４とを一体に挟持する。この場合、締付板７が庇板１の基端部の上面とナット８の下面との間に挟まれているので、締付板７は座金として機能し、ナット８の締付作業が容易であり、ナット８を十分に締め付けることができる。その結果、庇板１の基端部はがたつくことなく保持され、ナット８の緩みが防止される。
【００２５】
さらに、締付板７に一体形成した押さえ板７０は保持枠３の背板部５に向けて斜め上方へ延びるので、この押さえ板７０の上端部を背板部５に固定する。これにより、庇板１に風圧などの外圧が上向きに作用しても、押さえ板７０による突っ張り力によって庇板１が押さえ付けられ、庇の強度が維持される。
【符号の説明】
【００２６】
１    庇板
３    保持枠
４    支持板部
５    背板部
６    固定具
７    締付板
８    ナット
１１  ボルト挿通孔
４０  係合溝
４１  ボルト挿通孔
５２  溝
６０  ボルト
６１  頭部
６２  軸部
【図１】
2011001705.tif 000003
【図２】
2011001705.tif 000004
【図３】
2011001705.tif 000005
【図４】
2011001705.tif 000006
【図５】
2011001705.tif 000007
【図６】
2011001705.tif 000008
【図７】
2011001705.tif 000009
【図８】
2011001705.tif 000010